(57)【要約】【課題】冷蔵室を効率よく冷却できる冷蔵庫の提供。【解決手段】断熱性の冷蔵庫本体１と、前記冷蔵庫本体内に形成した冷蔵室３と、前記冷蔵室の背面に設けた冷気ダクト１９と、前記冷蔵室の正面から見て前記冷気ダクトの側面に開口させた冷気吹出し口２０と、前記冷蔵室の上方に設けた冷気戻り口２２と、前記冷気ダクトおよび冷気戻り口と連通するように設けた冷却器１０とを備え、前記冷気ダクトはその横幅は前記冷却器の横幅よりも短いものとし、前記吸込み口は前記冷気ダクトよりも外側部に位置するように設けた構成としてある。これにより、冷却器で冷却された最も低温状態の冷気を効率よく活用した冷却が可能になるとともに、冷蔵室の冷却も均一に行うことができる。【選択図】図８
2014137185.tif 000002
【特許請求の範囲】
【請求項１】
断熱性の冷蔵庫本体と、前記冷蔵庫本体内に形成した冷蔵室と、前記冷蔵室の背面部に上下に設けた冷気ダクトと、前記冷蔵室の正面から見て前記冷気ダクトの両側面に開口させた冷気吹出し口と、前記冷蔵室に設けた冷気戻り口と、前記冷気ダクトおよび冷気戻り口と連通するように設けた冷却器とを備え、前記冷気ダクトはその横幅を前記冷却器の横幅よりも短く設定し、かつ、前記冷気戻り口は前記冷気ダクトよりも外側部に位置するように設けた冷蔵庫。
【請求項２】
冷却器は冷気ダクト及び冷気戻り口の上方に位置していて、冷却器で生成された冷気が冷気ダクトの上部から下向きに流れてその両側冷気吹出し口から冷蔵室内に吹出し冷蔵室内で上昇反転して冷蔵室上部の冷気戻り口から冷却器へと還流する構成とした請求項１記載の冷蔵庫。
【請求項３】
冷気ダクトは冷蔵室背面壁の略中央部に配置し、かつ前記冷気ダクトの冷気吹出し口と対応する部分の冷蔵室背面壁には前記冷気吹出し口からの冷気を前方に向かって変流させる傾斜面を設けた構成とした請求項１または２記載の冷蔵庫。
【請求項４】
冷気ダクトの冷気吹出し口は前記冷気吹出し口が開口する冷気ダクトの側面端部と冷蔵室の前面開口部の側面端部とを結ぶ直線上より内側で横方向に開口する構成とした請求項１〜３のいずれか１項記載の冷蔵庫。
【請求項５】
冷蔵室に冷蔵室内空間を仕切る複数の収納棚を設け、前記各収納棚間に対応させて冷気吹出し口を冷気ダクトに設けるとともに、前記収納棚の背面側端部は冷気ダクトの冷気吹出し口よりも背面側に位置する構成とした請求項１〜４のいずれか１項記載の冷蔵庫。
【請求項６】
収納棚に仕切られた空間の内、最上段の空間に冷気戻り口を設けるとともに冷気ダクトの両側面に開口させた冷気吹出し口は設けない構成とした請求項５記載の冷蔵庫。
【請求項７】
少なくとも冷気戻り口近傍の冷蔵室背面壁の収納棚背面側端部と対応する部分には収納棚背面側端部とオーバラップする凸状リブを設けた請求項５または６記載の冷蔵庫。
【発明の詳細な説明】
【技術分野】
【０００１】
本発明は冷蔵庫に関し、特に冷蔵庫の冷却構成に関するものである。
【背景技術】
【０００２】
一般に冷蔵庫は冷凍室と冷蔵室を備えており、そのような冷蔵庫の中には冷蔵庫本体の上部を冷凍室、下部を冷蔵室としたトップフリーザ方式の冷蔵庫がある。このような冷蔵庫では冷凍室の背面に冷却器を備え、この冷却器で生成した冷気を冷蔵室背面壁に設けた冷気ダクトを介して冷蔵室に供給し、冷蔵室内の食品を冷却するようになっていた（例えば、特許文献１、特許文献２参照）。
【０００３】
図１１、図１２は上記特許文献１に記載された冷蔵庫を示し、この冷蔵庫１０１は上部に冷凍室１０２、その下部に冷蔵室１０３、更にその下部にビン収納室１０４と野菜収納室１０５が設けてある。そして、冷凍室１０２の背部には図示されていない冷却室が設けてあって、この冷却室で生成した冷気が冷蔵室１０３の背面壁中央部分に設けた冷気ダクト１０６を介して冷蔵室１０３内およびビン収納室１０４、野菜収納室１０５内に供給されるようになっている。また、上記冷気ダクト１０６は、図１１に示すように、冷蔵室背面壁部分で左右に分岐してその分岐ダクト１０６ａ、１０６ｂそれぞれの前面に冷気吹出し口１０７が設けてあり、冷却室から送られてきた冷気ダクト１０６内の冷気を冷蔵室１０３内に吹出して冷蔵室１０３内の食品を冷却するようなっている。
【０００４】
この冷蔵庫１０１は、冷蔵室１０３内に冷蔵室背面両側部分から左右に分散して冷気が吹き出されるので、冷蔵室１０３内が均一に冷却できるというものである。
【０００５】
また、図１３は特許文献２に記載された冷蔵庫で、この冷蔵庫２０１はトップフリーザ方式の冷蔵庫ではないものの、冷蔵室２０２の背面壁中央部分に上下に冷気ダクト２０３を設け、この冷気ダクト２０３の上下方向両側部分に冷気吹出し口２０４を設けた構成としてある。
【０００６】
この冷蔵庫２０１は、冷蔵室２０２内に冷気が斜め前方に吹出されるので、冷蔵室２０２内を均一に冷却できるというものである。
【先行技術文献】
【特許文献】
【０００７】
【特許文献１】特開平１０−４７８５０号公報
【特許文献２】特開２００９−６３２４５号公報
【発明の概要】
【発明が解決しようとする課題】
【０００８】
上記特許文献１及び特許文献２に記載の冷蔵庫は、いずれも冷蔵室１０３、２０２内を均一に冷却できるというものではあるが、冷却室で生成した冷気を効率的に供給して冷蔵室１０３、２０２を冷却するというものではなく、この点に課題があった。すなわち、冷蔵室１０３、２０２の食品を冷却する冷気は、冷蔵室１０３、２０２と冷却室の間を循環しているが、冷却室で冷却された最も低温状態の冷気を冷蔵室１０３、２０２内に送り込み、冷蔵室１０３、２０２内を効率よく冷却する、という考えがまったく見られず、冷却器で冷却された冷気を効率よく活用して冷蔵室を高効率に冷却するという点では今一歩というものであった。
【０００９】
これに加え、特許文献１記載の冷蔵庫１０１は、冷蔵室１０３内に冷蔵室背面両側部分から左右に分散して冷気が吹き出されるので、冷蔵室１０３内が均一に冷却できるとはいうものの、この左右に分岐した分岐ダクト１０６ａ、１０６ｂはできるだけ離して設けなければ冷蔵室１０３内を均一に冷却することができない恐れがあり、しかも冷気ダクト１０６を分岐して設置する必要があって構成が複雑化するという課題があった。
【００１０】
また、特許文献２記載の冷蔵庫２０１は、冷気ダクト２０３に設けた冷気吹出し口２０４が前方に向けて開口しているため扉をあけて冷蔵室２０２を開口した際、冷蔵庫本体の前方から冷気吹出し口２０４が見え、意匠性が悪いという課題もあった。
【００１１】
本発明はこのような点に鑑みてなしたもので、冷蔵室を効率よく冷却でき、かつ、安価に提供できる冷蔵庫を提供することを目的としたものである。
【課題を解決するための手段】
【００１２】
本発明は上記目的を達成するため、断熱性の冷蔵庫本体と、前記冷蔵庫本体内に形成した冷蔵室と、前記冷蔵室の背面部に上下に設けた冷気ダクトと、前記冷気ダクトの両側面に開口させた冷気吹出し口と、前記冷蔵室に設けた冷気戻り口と、前記冷気ダクトおよび冷気戻り口と連通するように設けた冷却器とを備え、前記冷気ダクトはその横幅を前記冷却器の横幅よりも短く設定し、かつ、前記冷気戻り口は前記冷気ダクトよりも外側部に位置するように設けた構成としてある。
【００１３】
これにより、冷気ダクトが冷却器の略中央部分に位置することになって、冷却器で冷却された冷気のうち最も低温となる冷却器中央部分の冷気が冷気ダクトへと流れて冷蔵室に供給されるようになるから、最も低温状態の冷気を効率よく活用した冷却が可能になるとともに、この冷気は冷蔵室の背面部分から両側前方へと広がった後、冷蔵室の冷気戻り口から冷却器の外周部分へと戻ることになるので、ダクトを分岐等することなく冷蔵室を均一に冷却することができる。
【発明の効果】
【００１４】
本発明の冷蔵庫は、冷却器で冷却した最も低温状態の冷気を効率的に冷蔵室に供給して冷蔵室内を均一かつ効率良く冷却することができ、そして安価に提供することができる。
【図面の簡単な説明】
【００１５】
【図１】本発明の実施の形態１における冷蔵庫の正面図
【図２】同冷蔵庫の内部を示す正面図
【図３】同冷蔵庫の縦断面図
【図４】同冷蔵庫の横断面図
【図５】同冷蔵庫における冷凍室背面の冷却室を露出させてその内部を示した正面図
【図６】同冷蔵庫の冷却室と冷蔵室を背面側から示す斜視図
【図７】図６の要部拡大斜視図
【図８】同冷蔵庫の冷気流れを説明するための正面図
【図９】同冷蔵庫の冷却室から冷気ダクトへの冷気の流れを示す拡大断面図
【図１０】同冷蔵庫の冷蔵室から冷却室への冷気の戻りを示す拡大断面図
【図１１】従来の冷蔵庫の扉を開いたときの斜視図
【図１２】同従来の冷蔵庫の冷蔵室内部を示す正面図
【図１３】従来の第２の冷蔵庫における冷蔵室の横断面図
【発明を実施するための形態】
【００１６】
第１の発明は、断熱性の冷蔵庫本体と、前記冷蔵庫本体内に形成した冷蔵室と、前記冷蔵室の背面部に上下に設けた冷気ダクトと、前記冷気ダクトの両側面に開口させた冷気吹
出し口と、前記冷蔵室に設けた冷気戻り口と、前記冷気ダクトおよび冷気戻り口と連通するように設けた冷却器とを備え、前記冷気ダクトはその横幅を前記冷却器の横幅よりも短く設定し、かつ、前記冷気戻り口は前記冷気ダクトよりも外側部に位置するように設けた構成としてある。
【００１７】
これにより、冷気ダクトが冷却器の略中央部分に位置することになって、冷却器で冷却された冷気のうち最も低温となる冷却器中央部分の冷気が冷気ダクトへと流れて冷蔵室に供給されるようになるから、最も低温状態の冷気を効率よく活用した冷却が可能になるとともに、この冷気は冷蔵室の背面部分から両側前方へと広がった後、冷蔵室の冷気戻り口から冷却器の外周部分へと戻ることになるので、ダクトを分岐等することなく冷蔵室を均一に冷却することができる。しかも冷気戻り口から冷却器へと戻る比較的温度の高い冷気は冷却器の外周部分に戻って冷却器の中央部分へと流れるので、高温冷気が十分に冷却されることなく冷気ダクトへと流れるのを防止することもでき、前記した冷却器中央部分の最も冷却された冷気を冷気ダクトに供給する作用と相俟って更に効率の良い均一な冷却が可能となる。
【００１８】
第２の発明は、第１の発明において、冷却器は冷気ダクト及び冷気戻り口の上方に位置していて、冷却器で生成された冷気が冷気ダクトの上部から下向きに流れてその両側冷気吹出し口から冷蔵室内に吹出し冷蔵室内で上昇反転して冷蔵室上部の冷気戻り口から冷却器へと還流する構成としてある。
【００１９】
これにより、冷気は冷気ダクトの冷気吹出し口より冷蔵室内に満遍なく吹出されるとともに、吹出された冷気は低温がゆえに沈降しても冷蔵室の上方に設けた冷気戻り口へと反転上昇して冷却器へと還流するので、冷蔵室内に収納された食品がどのような位置にあってもこれらを効率よく冷却することができ、より均一な冷却が可能となる。
【００２０】
第３の発明は、第１または第２の発明において、冷気ダクトは冷蔵室背面壁の略中央部に配置し、かつ前記冷気ダクトの冷気吹出し口と対応する部分の冷蔵室背面壁には前記冷気吹出し口からの冷気を前方に向かって変流させる傾斜面を設けた構成としてある。
【００２１】
これにより、冷気は冷蔵室の背面略中央部分から両側斜め前方へと広がった後、冷蔵室の冷気戻り口から冷却器の外周部分に戻ることになって、冷蔵室内にほぼ均一に分散し、食品をより均一に冷却することができる。
【００２２】
第４の発明は、第１〜第３の発明において、冷気ダクトの冷気吹出し口は前記冷気吹出し口が開口する冷気ダクトの側面端部と冷蔵室の前面開口部の側面端部とを結ぶ直線上より内側で横方向に開口する構成としてある。
【００２３】
これにより、冷蔵室を開口させたとき当該冷蔵室の前方から冷気吹出し口が見える様なことがなくなり、良好な意匠性を確保することができる。
【００２４】
第５の発明は、第１〜第４の発明において、冷蔵室に冷蔵室内空間を仕切る複数の収納棚を設け、前記各収納棚間に対応させて冷気吹出し口を冷気ダクトに設けるとともに、前記収納棚の背面側端部は冷気ダクトの冷気吹出し口よりも背面側に位置する構成としてある。
【００２５】
これにより、冷気吹出し口からの冷気を収納棚によって仕切った冷蔵室内の各空間に確実に供給することができるとともに、この冷気の一部が冷蔵室背面壁と収納棚の背面端部との間から下方へと流出するのを低減することができ、冷蔵室内の各空間の冷却をより確実かつ均一に行うことができる。
【００２６】
第６の発明は、第５の発明において、収納棚に仕切られた空間の内、最上段の空間に冷気戻り口を設けるとともに冷気ダクトの両側面には冷気吹出し口を設けない構成としてある。
【００２７】
これにより冷気戻り口を設けた最上段の空間に冷気吹出し口を設けて当該冷気吹出し口からの冷気が冷気戻り口へとショートサーキットするのを防止することができるとともに、最上段の空間に吹出す分の冷気をその下方の各空間に供給して効率の良い冷却が可能となる。
【００２８】
第７の発明は、第５または第６の発明において、少なくとも冷気戻り口近傍の冷蔵室背面壁の収納棚背面側端部と対応する部分には収納棚背面側端部とオーバラップする凸状リブを設けた構成としてある。
【００２９】
これにより、冷蔵室背面壁と収納棚背面側端部との間を効果的に遮断しその間を冷気が流通してショートサーキットするのを確実に防止することができ、冷気戻り口下方の収納棚によって仕切った空間への冷気が冷蔵室背面壁と収納棚背面側端部との間を介して冷気戻り口にショートサーキットしてしまうのを防止し、この冷気戻り口近傍下方に位置する収納棚下部空間をそれよりも下方の空間と同様の温度まで確実に冷却することができ、冷蔵室内の冷却均一化をより確実なものとすることができる。
【００３０】
以下、本発明の実施の形態について、図面を参照しながら説明する。なお、この実施の形態によって本発明が限定されるものではない。
【００３１】
（実施の形態１）
図１は本発明の実施の形態１における冷蔵庫の正面図、図２は同冷蔵庫の内部を示す正面図、図３は同冷蔵庫の縦断面図、図４は同冷蔵庫の横断面図、図５は同冷蔵庫における冷凍室背面の冷却室を露出させてその内部を示した正面図、図６は同冷蔵庫の冷却室と冷蔵室を背面側から示す斜視図、図７は図６の要部拡大斜視図、図８は同冷蔵庫の冷気流れを説明するための正面図、図９は同冷蔵庫の冷却室から冷気ダクトへの冷気の流れを示す拡大断面図、図１０は同冷蔵庫の冷蔵室から冷却室への冷気の戻りを示す拡大断面図である。
【００３２】
図１〜図１０において、この冷蔵庫は、冷蔵庫本体１の上部に冷凍室２、その下部に冷蔵室３を有するトップフリーザ方式の冷蔵庫となっている。
【００３３】
上記冷蔵庫本体１は、図３に示すように、前方に開口する金属製（例えば鉄板）の外箱４と、硬質樹脂製（例えばＡＢＳ）の内箱５と、これら外箱４と内箱５との間に発泡充填した硬質の発泡ウレタン６からなる。また、冷蔵庫本体１の冷凍室２及び冷蔵室３の前面は冷蔵庫本体１と同様の構成によって断熱性を持たせた回転自在な扉７、８によって開閉自在となっている。
【００３４】
また、前記冷蔵庫本体１の冷凍室２背面には冷却室９があり、冷気を生成する冷却器１０と、冷気を各室に供給する送風ファン１１とが設けてある。また、上記冷蔵庫本体１の本体下面奥部には圧縮機１２が設けてあり、コンデンサ（図示せず）と、放熱パイプ（図示せず）と、キャピラリーチューブ（図示せず）と、前記した冷却器１０とを順次環状に接続してなる冷凍サイクルに冷媒を封入し、冷却運転を行うように構成してある。
【００３５】
冷蔵室３は内部に複数の収納棚１４を着脱自在に有し、冷蔵室内空間が上下複数の空間に仕切られている。また、冷蔵室３の最上部の冷蔵室内空間の右上部には図２に示すよう
にチルド室１５が、そして左側には小物収納室１６が設けてあり、最下部の冷蔵室空間には図３に示すように野菜収納ボックス１７、果物収納ボックス１８が引き出し自在に組み込んである。
【００３６】
また、冷蔵室３の背面部には前記冷却器１０で生成した冷気を冷蔵室３に供給する冷気ダクト１９が設けてある。この冷気ダクト１９は図４、図５、図８に示すように冷蔵室３の背面略中央部分に上下方向に設けてあり、その左右両側面に冷気吹出し口２０が設けてある。更に、前記冷気ダクト１９は図５、図８から明らかなように冷却器１０の横幅よりも短い横幅としてあり、当該冷気ダクト１９に連なる連結ダクト２１（図７参照）が冷却室９の中央部分、すなわち、冷却器１０の中央部分に接続してある。これによって、冷気ダクト１９は冷却器１０中央部分の冷気が供給される構成となる。
【００３７】
また、前記冷蔵室３の最上段空間部の背面部分には図５、図８に示すように冷気戻り口２２が設けてある。この冷気戻り口２２は前記冷気ダクト１９の横幅よりも外側部に位置するように設けてあり、その冷気戻り口２２に連なる冷気戻りダクト２３（図６、図７参照）が前記冷却室９の左右両側部分、すなわち、冷却器１０の両側部分に接続してある。これによって、冷気戻り口２２からの冷気は冷却器１０両側外周部分に戻る構成となる。
【００３８】
更に、前記冷気ダクト１９はその冷気吹出し口２０が図８に示すように前記収納棚１４によって仕切られた各空間に対応する如く形成してあり、そのうち最上段の空間部分の冷気ダクト両側面の冷気吹出し口は設けず閉塞面とし、代わりに前記したチルド室１５及び小物収納室１６に対向するダクト前面の最上部に小さな補助冷気吹出し口２０ａが形成してある。
【００３９】
また、前記冷気吹出し口２０は図４に示すように同冷気吹出し口２０が開口する冷気ダクト１９の側面端部と冷蔵室３の前面開口部の側面端部とを結ぶ直線ａ上より内側で横方向に開口する構成としてある。
【００４０】
また、冷蔵室３の背面壁には図４に示すように前記冷気ダクト１９の両側部分と対応する部分に冷気吹出し口２０からの冷気を前方に向かって変流させる傾斜面２４が設けてある。一方、前記収納棚１４の背面側端部１４ａは冷気ダクト１９の冷気吹出し口２０よりも背面側に位置する構成としてある。更に、前記冷気戻り口２２近傍の冷蔵室背面壁の収納棚背面側端部と対応する部分には図５に示すように収納棚１４の背面側端部１４ａとオーバラップする凸状リブ２５が形成してある。
【００４１】
上記構成において、次にその動作について説明する。
【００４２】
まず、冷蔵庫本体１の冷凍室２背面の冷却室９で冷気が生成される。この冷却室９で生成された冷気は連結ダクト２１を介して冷気ダクト１９へと流れ、冷気ダクト１９両側部の各冷気吹出し口２０から冷蔵室３内に供給される。冷蔵室３内に供給された冷気は、冷蔵室３内の食品を冷却し、冷蔵室上部の冷気戻り口２２から冷気戻りダクト２３を介して冷却室９に戻り、冷却器１０によって冷却され再び冷蔵室３へと流れる循環を繰り返す。
【００４３】
ここで、上記冷気ダクト１９は、冷却器１０の横幅よりも短い横幅として、冷却器１０の中央部分に接続した形としてあるから、上記冷気ダクト１９へと流れる冷気は、冷却器１０によって冷却された冷気のうち最も温度の低い状態の冷気が流れるようになる。すなわち、冷却器１０は冷気戻り口２２から冷却室９に還流してくる冷蔵室３内からの比較的温度の高い冷気を再冷却するのであるが、前記還流冷気は戻りダクト２３から冷却器１０の両側外周部分に還流してくる。この冷却器１０の外周部に還流した温度の高い冷気は冷却器１０の中央部へと流れ、その間に再冷却され、中央部分では最も温度の低い状態とな
る。そしてこの温度が最も低くなった低温の冷気が冷却器１０の中央部分に繋がっている連結ダクト２１を介して冷気ダクト１９へと流れるのである。一方、冷却器１０の外周部に還流してきた温度の高い冷気がそのまま連結ダクト２１の開口部から冷気ダクト１９へと流れることはなくなる。したがって、これら両者の作用によって冷蔵室３には最も温度が低くなった冷気が供給され、冷蔵室３内の食品はこの最も温度が低くなった冷気によって冷却されることになり、効率の良い冷却が可能となる。
【００４４】
また、前記冷気ダクト１９は冷蔵室背面の略中央部に位置していて、その両側部に冷気吹出し口２０が設けてあるから、冷気は冷蔵室３の背面中央部分から左右方向へと供給され、冷蔵室３内に分散していくことになる。そして、冷気戻り口２２が冷蔵室３の上部に設けてあるから、冷蔵室３に供給され低温であるがゆえに沈降しがちな冷気は冷蔵室３の上方に設けた冷気戻り口２２へと反転上昇して冷却器１０へと還流する。従って冷蔵室３内は均一に冷却されることになり、冷蔵室３内に収納された食品がどのような位置にあってもこれらを効率よく均一に冷却することができる。
【００４５】
特にこの実施の形態の冷蔵庫は、上記冷気吹出し口２０の背面側の冷蔵室背面壁に傾斜面２４が設けてあるから、冷気はこの傾斜面２４に案内されて強制的に前方へと流れることになり、冷蔵室３内により均等に分散して冷蔵室３をより均一に冷却することができる。
【００４６】
また、上記冷気ダクト１９両側部の冷気吹出し口２０は、収納棚１４によって仕切られた各空間に対応して設けているので、この各空間に冷気を確実に供給することができる。そして前記各収納棚１４の背面側端部１４ａは冷気ダクト１９の冷気吹出し口２０よりも背面側に位置しているので、冷気吹出し口２０より吹出した冷気の一部が冷蔵室背面壁と収納棚１４の背面側端部１４ａとの間から下方へと直接流出してしまうのを低減することができる。したがって、冷蔵室３内の各空間の冷却をより確実かつ均一に行うことができ、冷蔵室３全体をさらに均一に冷却することができる。
【００４７】
また、上記収納棚１４に仕切られた空間の内、冷気戻り口２２が設けてある最上段の空間にはチルド室１５と小物収納室１６があるが、これら各室は同各に対向するように設けた補助冷気吹出し口２０ａからの冷気によって効率よく冷却できる。しかも、この部分の冷気ダクト１９の両側部分にはその下方の各室に対応して設けたような冷気吹出し口を設けていないので、このような冷気吹出し口を設けて最上段空間に供給した冷気がそのまま冷気戻り口２２へとショートサーキットするのを防止することができるとともに、最上段の空間に吹出す分の冷気をその下方の各空間に供給して効率の良い冷却が可能となる。
【００４８】
加えてこの冷蔵庫では、上記冷気戻り口２２近傍、すなわち冷気戻り口２２直下の冷蔵室背面壁の収納棚背面側端部１４ａと対応する部分には収納棚背面側端部１４ａとオーバラップする凸状リブ２５が設けてあるから、冷気戻り口２２直下の空間に供給された冷気の冷気戻り口２２へのショートサーキットを防止して効率よく均一に冷却することができる。すなわち、冷蔵室背面壁に設けた凸状リブ２５によって冷蔵室背面壁と収納棚背面側端部１４ａとの間を効果的に遮断することができ、その間を冷気が流通してショートサーキットするのを確実に防止することができるのである。その結果、冷気戻り口２２直下の収納棚１４によって仕切った空間への冷気が冷蔵室背面壁と収納棚背面側端部１４ａとの間を介して冷気戻り口２２にショートサーキットしてしまうのを防止し、この冷気戻り口２２近傍直下に位置する上から二段目の収納棚下部空間をそれよりも下方の空間と同様の温度まで確実に冷却することができ、冷蔵室３内の冷却均一化をより確実なものとすることができるのである。
【００４９】
また、前記冷気ダクト１９の冷気吹出し口２０は前記冷気吹出し口２０が開口する冷気
ダクト１９の側面端部と冷蔵室３の前面開口部の側面端部とを結ぶ直線上より内側で横方向に開口する構成としてあるから、冷蔵室３を開口させたとき当該冷蔵室３の前方から冷気吹出し口２０が見える様なことがなく、良好な意匠性を確保することができる。
【００５０】
そして、上記冷気ダクト１９は冷蔵室背面部の略中央に設け、かつ、冷気吹出し口２０はその冷気ダクト１９の両側面に開口するように設けているので、冷蔵室３内を均一に冷却するために冷気ダクト１９を左右に分岐しなくても良く、構成の簡素化が図れる。
【００５１】
以上のようにこの冷蔵庫は貯蔵室内を最低温の冷気を活用して効率よくかつ均一に冷却できるものであるが、上記実施の形態は本発明を実施するうえでの一例として示したものであり、本発明の目的を達成する範囲内で種々変更可能であることは言うまでもない。
【００５２】
例えば、冷凍室２が冷蔵庫本体１の上部に設けてあるもので説明したが、これは冷蔵室３の下方に設けたものであっても良く、また、冷却器１０も冷蔵室３の上方に設けたものを例示したが、これは冷蔵室３の下部に設けたものであっても良いものである。
【００５３】
また、冷蔵室背面壁に設けた凸状リブ２５は冷気戻り口２２直下の収納棚１４だけでなく全ての収納棚１４と対応する部分に設けても良く、更にこの凸状リブ２５は凹状溝として収納棚背面側端部が嵌りあうようにしても良いものである。
【産業上の利用可能性】
【００５４】
以上のように本発明の冷蔵庫は、冷却器で冷却した最も低温状態の冷気を効率的に冷蔵室に供給して冷蔵室内を均一かつ効率良く冷却することができ、そして安価に提供することができ、一般用はもちろん業務用の冷蔵庫にも幅広く適用できる。
【符号の説明】
【００５５】
１  冷蔵庫本体
２  冷凍室
３  冷蔵室
４  外箱
５  内箱
６  発泡ウレタン
７、８  扉
９  冷却室
１０  冷却器
１１  送風ファン
１２  圧縮機
１４  収納棚
１５  チルド室
１６  小物収納室
１７  野菜収納ボックス
１８  果物収納ボックス
１９  冷気ダクト
２０  冷気吹出し口
２０ａ  補助冷気吹出し口
２１  連結ダクト
２２  冷気戻り口
２３  冷気戻りダクト
２４  傾斜面
２５  凸状リブ
【図１】
2014137185.tif 000003
【図２】
2014137185.tif 000004
【図３】
2014137185.tif 000005
【図４】
2014137185.tif 000006
【図５】
2014137185.tif 000007
【図６】
2014137185.tif 000008
【図７】
2014137185.tif 000009
【図８】
2014137185.tif 000010
【図９】
2014137185.tif 000011
【図１０】
2014137185.tif 000012
【図１１】
2014137185.tif 000013
【図１２】
2014137185.tif 000014
【図１３】
2014137185.tif 000015